(57)【要約】【課題】            巻取られた超幅広な無芯シートロールから該ロールの内周側の形状を崩すことなく長い巻取軸を抜取ることが容易な無芯シートロール製造用の巻取軸を提供する。【解決手段】        ロール円周面２に軸方向に延びる複数の凹状溝３を円周方向に均等な間隔をおいて凹陥形成し、各凹状溝３の溝幅Ｗを画成する軸方向に延びる直線状の対向縁辺３ａを、該巻き取り軸の軸中心線Ｘと平行に延ばされる対向縁辺間の平行仮想線Ｘａを基線として左右対称な傾斜線としたテーパ状に形成して、各凹状溝３の溝幅を軸方向の一端側２ａから他端側２ｂへ行くに従いテーパ状に徐々に広げて形成した構造の巻取軸１を提供する。また、この巻取軸１を有する無芯シートロールの製造方法及び製造装置を提供する。【選択図】          図１
2007223751.tif 000002
【特許請求の範囲】
【請求項１】
ペーパー等のシート類を紙管の無い無芯ロール状に巻取る巻取軸であって、該巻取軸は、ロール円周面に軸方向に延びる複数の凹状溝を円周方向に均等な間隔をおいて凹陥形成し、各凹状溝の周方向の溝幅を画成する軸方向に延びる直線状の対向縁辺を、該巻き取り軸の軸中心線と平行に延ばされる対向縁辺間の平行仮想線を基線として左右対称な傾斜線としたテーパ状に形成して、各凹状溝の溝幅を軸方向の一端側から他端側へ行くに従いテーパ状に徐々に広げて形成し、よって、該巻取軸の軸方向の一端側から他端側へ行くに従い各凹状溝の形成範囲を除くロール円周面で形成された巻取り周面部の形成面積を徐々に減少させたことを特徴とする無芯シートロール製造用の巻取軸。
【請求項２】
ロール円周面に軸方向に延びる複数の凹状溝を円周方向に均等な間隔をおいて凹陥形成し、各凹状溝の周方向の溝幅を画成する軸方向に延びる直線状の対向縁辺を、軸中心線と平行に延ばされる対向縁辺間の平行仮想線を基線として左右対称な傾斜線としたテーパ状に形成して、各凹状溝の溝幅を軸方向の一端側から他端側へ行くに従いテーパ状に徐々に広げて形成し、よって、巻取軸の軸方向の一端側から他端側へ行くに従い各凹状溝の形成範囲を除くロール円周面で形成された巻取り周面部の形成面積を徐々に減少させた構造の巻取軸を、無芯シートロールとして巻取られる巻取りシートを介して左右一対の巻取駆動ロール上に位置させ、前記巻取りシートの巻取り始端側を前記巻取軸の巻取り周面部に接触した状態で該巻取軸を前記巻取駆動ロールによって回転させ、回転される巻取軸に巻取られる無芯シートロールの上部を巻押えロールで弾性的に押圧しながら巻取り、前記巻取軸に巻取り完了された無芯シートロールから、前記巻取軸を、前記凹状溝の溝幅を相対的に狭く形成した該巻取軸の一端側を前端側にして軸方向に抜き取る、ことを特徴とする無芯シートロールの製造方法。
【請求項３】
ロール円周面に軸方向に延びる複数の凹状溝を円周方向に均等な間隔をおいて凹陥形成し、各凹状溝の周方向の溝幅を画成する軸方向に延びる直線状の対向縁辺を、軸中心線と平行に延ばされる対向縁辺間の平行仮想線を基線として左右対称な傾斜線としたテーパ状に形成して、各凹状溝の溝幅を軸方向の一端側から他端側へ行くに従いテーパ状に徐々に広げて形成し、よって、巻取軸の軸方向の一端側から他端側へ行くに従い各凹状溝の形成範囲を除くロール円周面で形成された巻取り周面部の形成面積を徐々に減少させた構造の巻取軸と、該巻取軸を上面に位置させ、該巻取軸に回転力を与える左右一対の巻取駆動ロールと、前記巻取軸に巻取られる無芯シートロールの上部を弾性的に押圧する巻押えロールとを有する無芯シートロールの製造装置。
【発明の詳細な説明】
【技術分野】
【０００１】
本発明は、キッチンペーパーやトイレットペーパー等のシート類を紙管の無い無芯ロール状に巻取る無芯シートロール製造用の巻取軸、この巻取軸を用いた無芯シートロールの製造方法及び製造装置に関する。
【背景技術】
【０００２】
キッチンペーパーやトイレットペーパー等のシート類を紙管の無い無芯シートロール製品に製造する場合、１ｍを超える長い巻取軸に超幅広なペーパーシートを直接巻取り、巻取られた超幅広な無芯シートロールから長い巻取軸を抜取って、超幅広な無芯シートロールを製造し、この超幅広な無芯シートロールを使用に適した短い長さに輪切り切断している。
【０００３】
この超幅広な無芯シートロールを製造するための巻取軸として、巻取軸の巻取り外周面を半径方向に拡縮できるようにしたエア式の拡縮型巻取軸が用いられている。このエア式の拡縮型巻取軸は、ペーパーシートをロール状に巻取る際は拡径され、ロール状に巻き付けられた無芯シートロールを抜き取る際は縮径される構造であるため、巻き取り軸に直接巻取られた超幅広な無芯シートロールからから該シートロールの内周側の形状を崩すことなく長い巻取軸を抜き取ることが容易とされている。
【０００４】
また、この超幅広な無芯シートロールを製造するための巻取軸として、巻取軸の断面形状を歯車形に形成したものが知られている（特公昭６２−３４６６４号公報の第７図，第８図）。また、無芯ウエブロール製造装置のウエブ巻取軸として、ロール周面に軸方向に向けて数条の突条又は溝などの凹凸部を形成したものが知られている（特公平６−６１３０号公報の第１０図，第１１図）。これらの特許文献で公開されている巻取軸は、軸方向に軸中心線と平行に延びる複数の突条などの凹凸部によって、巻取軸に直接巻取られた無芯ペーパーシートロールから巻取軸を抜取る際に、巻取軸の外周面と無芯ペーパーシートロールの内周面との接触抵抗を減少させて、巻取軸の抜取りを容易にすることを目的としている。
【特許文献１】特公昭６２−３４６６４号公報
【特許文献２】特公平６−６１３０号公報
【発明の開示】
【発明が解決しようとする課題】
【０００５】
しかし、巻取り外周面を半径方向に拡縮できるようにしたエア式の拡縮型巻取軸は、構造が複雑なため小径な巻取軸の提供が難しく、小径な内径の無芯シートロールを製造するのが困難であった。しかも、巻取軸の製造コストが高くなる弊害があった。
【０００６】
また、前記の特許文献１，２で公開されている巻取軸は、エア式の拡縮型巻取軸に比べて、巻取軸としての製造コストが安く、しかも、構造的に小径な巻取軸の提供が可能で、小径な内径の無芯シートロールを製造することが可能である。しかし、特許文献１，２で公開されている巻取軸は、複数の突条などの凹凸部を軸方向に軸中心線と平行に延ばしたものであるため、巻取軸に直接巻取られた無芯シートロールから巻取軸を軸方向に抜取る間、抜取られる巻取軸の外周に無芯シートロールの内圧による抵抗が常に一様に加えられことになる。この結果、キッチンペーパーやトイレットペーパーなどの無芯シートロール製造用の巻取軸として、長い巻取軸に超幅広な無芯シートロールを巻取り製造する場合は、それらが長ければ長いほど、巻取られた超幅広な無芯シートロールから該無芯シートロールの内周側の形状を崩すことなく長い巻取軸を抜き取ることが困難で、極端な場合は抜き取り不可となることも多々あった。
【０００７】
本発明は、このような実情に鑑み開発したものであり、紙管の無いキッチンペーパーやトイレットペーパーなどの無芯シートロールを製造するための巻取軸として、巻取軸としての製造コストが安く、しかも小径な内径の無芯シートロールを製造することが可能であり、特に、長い巻取軸に超幅広な無芯シートロールを巻取り製造する場合においても、巻取られた超幅広な無芯シートロールから該無芯シートロールの内周側の形状を崩すことなく長い巻取軸を抜取ることが容易な無芯シートロール製造用の巻取軸、この巻取軸を用いた無芯シートロールの製造方法及び製造装置を提供する。
【課題を解決するための手段】
【０００８】
上記の課題を解決するため、本発明は、ペーパー等のシート類を紙管の無い無芯ロール状に巻取る巻取軸であって、該巻取軸は、ロール円周面に軸方向に延びる複数の凹状溝を円周方向に均等な間隔をおいて凹陥形成し、各凹状溝の周方向の溝幅を画成する軸方向に延びる直線状の対向縁辺を、該巻き取り軸の軸中心線と平行に延ばされる対向縁辺間の平行仮想線を基線として左右対称な傾斜線としたテーパ状に形成して、各凹状溝の溝幅を軸方向の一端側から他端側へ行くに従いテーパ状に徐々に広げて形成し、よって、該巻取軸の軸方向の一端側から他端側へ行くに従い各凹状溝の形成範囲を除くロール円周面で形成された巻取り周面部の形成面積を徐々に減少させたことを特徴とする無芯シートロール製造用の巻取軸を提供する。
【０００９】
本発明の巻取軸によれば、各凹状溝の溝幅を、該巻取軸に巻かれた無芯シートロールに対して該巻取軸が軸方向に相対的に抜取られる方向における前端側となる一端側から後端側となる他端側へ行くに従いテーパ状に徐々に広げて形成し、よって、巻取軸に巻かれた無芯シートロールに対して該巻取軸が軸方向に相対的に抜取られる方向における前端側となる一端側から後端側となる他端側へ行くに従い各凹状溝の形成範囲を除くロール円周面で形成された巻取り周面部の形成面積を徐々に減少させた構造であるため、巻取軸に巻かれた無芯シートロールから相対的に該巻取軸を抜き取る場合に、無芯シートロールの内周面と巻取軸の巻取り周面部との面接触抵抗は該巻取軸の抜取り方向における前端側となる一端側から後端側となる他端側へ行くに従い徐々に減少され、抜取られる巻取軸の巻取り周面部に加えられる無芯シートロールの内圧による抵抗が抜き取り過程で徐々に減少されることになり、さらに、巻取軸は、該巻取軸の前記各凹状溝内に突出形成された無芯シートロールの内周側の凸条部（この凸条部の周方向の幅は前記各凹状溝の溝幅に対応して一端側から他端側へ行くに従い略テーパ状に徐々に広げて形成される。）に対して、幅狭な凸条部に対応した幅狭な凹状溝側を先端側とし、幅広な凸条部に対応した幅広な凹状溝側を後端側として抜き取られることによって、巻取軸に巻き取った無芯シートロールの内周側の形状を崩すことなく容易に抜き取れる。
【００１０】
また、本発明は、ロール円周面に軸方向に延びる複数の凹状溝を円周方向に均等な間隔をおいて凹陥形成し、各凹状溝の周方向の溝幅を画成する軸方向に延びる直線状の対向縁辺を、軸中心線と平行に延ばされる対向縁辺間の平行仮想線を基線として左右対称な傾斜線としたテーパ状に形成して、各凹状溝の溝幅を軸方向の一端側から他端側へ行くに従いテーパ状に徐々に広げて形成し、よって、巻取軸の軸方向の一端側から他端側へ行くに従い各凹状溝の形成範囲を除くロール円周面で形成された巻取り周面部の形成面積を徐々に減少させた構造の巻取軸を、無芯シートロールとして巻取られる巻取りシートを介して左右一対の巻取駆動ロール上に位置させ、前記巻取りシートの巻取り始端側を前記巻取軸の巻取り周面部に接触した状態で該巻取軸を前記巻取駆動ロールによって回転させ、回転される巻取軸に巻取られる無芯シートロールの上部を巻押えロールで弾性的に押圧しながら巻取り、前記巻取軸に巻取り完了された無芯シートロールから、前記巻取軸を、前記凹状溝の溝幅を相対的に狭く形成した該巻取軸の一端側を前端側にして軸方向に抜き取る、ことを特徴とする無芯シートロールの製造方法を提供する。
【００１１】
また、本発明は、ロール円周面に軸方向に延びる複数の凹状溝を円周方向に均等な間隔をおいて凹陥形成し、各凹状溝の周方向の溝幅を画成する軸方向に延びる直線状の対向縁辺を、軸中心線と平行に延ばされる対向縁辺間の平行仮想線を基線として左右対称な傾斜線としたテーパ状に形成して、各凹状溝の溝幅を軸方向の一端側から他端側へ行くに従いテーパ状に徐々に広げて形成し、よって、巻取軸の軸方向の一端側から他端側へ行くに従い各凹状溝の形成範囲を除くロール円周面で形成された巻取り周面部の形成面積を徐々に減少させた構造の巻取軸と、該巻取軸を上面に位置させ、該巻取軸に回転力を与える左右一対の巻取駆動ロールと、前記巻取軸に巻取られる無芯シートロールの上部を弾性的に押圧する巻押えロールとを有する無芯シートロールの製造装置を提供する。
【発明の効果】
【００１２】
本発明によれば、紙管の無いキッチンペーパーやトイレットペーパーなどの無芯シートロールを製造するための巻取軸として、巻取軸としての製造コストが安く、しかも小径な内径の無芯シートロールを製造することが可能であり、特に、長い巻取軸に超幅広な無芯シートロールを巻取り製造する場合においても、巻取られた超幅広な無芯シートロールから該無芯シートロールの内周側の形状を崩すことなく長い巻取軸を容易に抜き取ることができる。
【００１３】
しかも、無芯シートロールの内周面側は主に巻取軸の巻取り周面部で支持され、該巻取軸の前記各凹状溝内に突出形成された無芯シートロールの内周側の凸条部（この凸条部の周方向の幅は前記各凹状溝の溝幅に対応して一端側から他端側へ行くに従い略テーパ状に徐々に広げて形成される。）に対しても、幅狭な凸条部に対応した幅狭な凹状溝側を先端側とし、幅広な凸条部に対応した幅広な凹状溝側を後端側として巻取軸を無理なく抜取ることができ、巻取軸を抜き取った無芯シートロールの内周側形状を型崩れの無い比較的きれいな内周側形状の無芯シートロールに成形できる。
【発明を実施するための最良の形態】
【００１４】
以下、本発明の実施形態を図面に基づいて説明する。図１から図３は本発明の巻取軸を示し、図１は中間部を省略した正面図、図２は巻取り周面を部分展開した展開図、図３は巻取軸の両端部をそれぞれ示す側面図で、（Ａ）は巻取軸の一端側を示す側面図、（Ｂ）は巻取軸の他端側を示す側面図、図４はシートロールを巻取り完了した本発明の巻取軸の両端部をそれぞれ示す側面図で、（Ａ）は巻取軸の一端側を、（Ｂ）は巻取軸の他端側を示している。
【００１５】
本発明の巻取軸１は、ロール円周面２に軸方向に延びる複数（図示した実施例では１０個）の凹状溝３を円周方向に均等な間隔をおいて凹陥形成し、各凹状溝３の周方向の溝幅Ｗを画成する軸方向に延びる直線状の対向縁辺３ａ，３ａを、該巻取軸１の軸中心線Ｘと平行に延ばされる対向縁辺間の平行仮想線Ｘａを基線として左右対称な傾斜線としたテーパ状（略ハ字状）に形成し、各凹状溝３の溝幅Ｗを軸方向の一端側２ａから他端側２ｂへ行くに従いテーパ状に徐々に広げて形成し、よって、該巻取軸１の軸方向の一端側２ａから他端側２ｂへ行くに従い各凹状溝３の形成範囲を除くロール円周面２で形成された巻取り周面部４の形成面積を徐々に減少させた構造を有する。
【００１６】
すなわち、本発明の巻取軸１は、各凹状溝３の溝幅Ｗを、該巻取軸１に直接巻かれたシートロールＲに対して該巻取軸１が軸方向に相対的に抜取られる方向（図１の矢印Ａの方向）における前端側となる一端側２ａから後端側となる他端側２ｂへ行くに従いテーパ状に徐々に広げて形成し、よって、巻取軸１に直接巻かれたシートロールＲに対して該巻取軸１が軸方向に相対的に抜取られる方向（図１の矢印Ａの方向）における前端側となる一端側２ａから後端側となる他端側２ｂへ行くに従い各凹状溝３の形成範囲を除くロール円周面２で形成された巻取り周面部４の形成面積を徐々に減少させた構造である。図１の矢印方向ＡはシートロールＲに対する巻取軸１の抜取り方向を示している。なお、理解を容易にするため、図１、図２においては、便宜的に巻取り周面部４を斜線で示し、この巻取り周面部４と各凹状溝３との対比を明瞭にした。なお、巻取軸１のロール円周面２は、円柱形状のロール円周面、円筒形状ロール円周面でも良い。
【００１７】
前記凹状溝３の形状は、図３に示したようなコ字形状の凹状溝３、Ｕ字形状の凹状溝、Ｖ字形状の凹状溝などで形成でき、特に限定するものではないが、少なくとも各凹状溝３の溝幅Ｗを画成する軸方向に延びる対向縁辺３ａ，３ａを結ぶ直線が凹状溝３の底部に接しない凹状溝、すなわち、凹状溝３の底部は前記結線より半径方向に深く位置した凹状溝である。また、各凹状溝３の溝深さは、巻取軸１の軸方向における一端側２ａから他端側２ｂへ行くに従い徐々に深く形成することが好ましい。すなわち、各凹状溝３は、該巻取軸１に巻かれたシートロールＲに対して該巻取軸１が軸方向に相対的に抜取られる方向における先端側となる一端側２ａから後端側となる他端側２ｂへ行くに従い徐々にその溝幅Ｗを広く形成すると共に、その溝深さを深くなるように形成するのが好ましい。
【００１８】
前記したとおり、本発明の巻取軸１は各凹状溝３の溝幅Ｗを軸方向の一端側２ａから他端側２ｂへ行くに従いテーパ状に徐々に広げて形成し、各凹状溝３の溝幅Ｗを、一端側２ａ（巻取軸の抜取り方向における前端側）を相対的に狭く、他端側２ｂ（巻取軸の抜取り方向における後端側）を相対的に広く形成した構造である。そして、各凹状溝３の溝幅Ｗを相対的に広く形成した巻取軸１の他端側２ｂ（巻取軸の抜取り方向における後端側）において、この部位の各凹状溝３の溝幅Ｗは、この凹状溝３と円周方向に隣接する各巻取り周面部４の周方向長さ幅より狭く構成する。すなわち、巻取軸１の周方向おける前記巻取り周面部４と前記凹状溝３の面積割合は、前記凹状溝３の周方向の溝幅Ｗを相対的に広く形成した前記巻取軸１の他端側２ｂ（巻取軸の抜取り方向における後端側）において、周方向における各凹状溝３の溝幅Ｗの周方向長さの合計値より前記巻取り周面部４の周方向長さの合計値を大きくなるように構成する。なお、前記凹状溝３の溝幅Ｗを相対的に狭く形成した前記巻取軸１の一端側２ａ（巻取軸の抜取り方向における前端側）においては、周方向における各凹状溝３の溝幅Ｗの周方向長さの合計値は溝幅を広く形成した他端側２ｂより小さな数値となり、前記巻取り周面部４の周方向長さの合計値は溝幅を広く形成した他端側２ｂより大きな数値となる。このように、前記凹状溝３の溝幅Ｗを相対的に広く形成した前記巻取軸１の他端側２ｂにおいても、前記凹状溝３の溝幅Ｗを相対的に狭く形成した前記巻取軸１の一端側２ａにおいても、周方向における各凹状溝３の溝幅Ｗの周方向長さの合計値より前記巻取り周面部４の周方向長さの合計値を大きくなるように構成する。種々試験の結果、全長１３００ｍｍ前後で、３０ｍｍ前後のロール直径のロールシャフトから本発明の巻取軸１を形成した場合、巻取軸１の各凹状溝３を、一端側２ａ（巻取軸の抜取り方向における前端側）を２ｍｍ前後、他端側２ｂ（巻取軸の抜取り方向における後端側）を４ｍｍ前後の溝幅Ｗとした左右対称な傾斜線からなるテーパ状に形成（一端側２ａと他端側２ｂの溝幅Ｗの差を２ｍｍ前後に形成した。）したものから、一端側２ａ（巻取軸の抜取り方向における前端側）を２．５ｍｍ前後、他端側２ｂ（巻取軸の抜取り方向における後端側）を３ｍｍ前後の溝幅Ｗとした左右対称な傾斜線からなるテーパ状に形成（一端側２ａと他端側２ｂの溝幅Ｗの差を０．５ｍｍ前後の最低値に形成した。）したものが好ましいものであった。
【００１９】
前記凹状溝３の形成個数は複数個であり、具体的な個数は特に限定されない。形成される凹状溝３の個数は、ロール円周長さ、溝幅Ｗの広さ、シートロールとして巻取られる巻取りシート素材の坪量などを考慮して、適宜決定される。ちなみに、本発明の巻取軸１として、全長を１３００ｍｍ、ロール直径を３２ｍｍのロールシャフトのロール円周面２に円周方向に均等な間隔をおいて１０個の凹状溝３を凹陥形成し、各凹状溝３の溝幅Ｗを、相対的に広く形成した前記巻取軸１の他端側２ｂ（巻取軸の抜取り方向における後端側）を３ｍｍ、相対的に狭く形成した前記巻取軸１の一端側２ａ（巻取軸の抜取り方向における前端側）を２．５ｍｍで構成したものを準備し、この巻取軸１を用いて図５に示した方法で、坪量３５ｇ／ｍ２〜５０ｇ／ｍ２のキッチンペーパー素材を試験的にシートロールに巻取り製造したところ、巻取られた無芯シートロールから該無芯シートロールの内周側の形状を崩すことなく長い巻取軸を容易に抜き取ることができた。シートロールとして巻取られる巻取りシートとして、前記した坪量３５ｇ／ｍ２〜５０ｇ／ｍ２以上のペーパーシート素材では、坪量が大きくなるにしたがって、適宜、各凹状溝３の溝幅を大きくし、凹状溝３の個数を少なくする。また、反対に前記した坪量３５ｇ／ｍ２〜５０ｇ／ｍ２以下のペーパーシート素材では、坪量が小さくなるにしたがって、適宜、各凹状溝３の溝幅を小さくし、凹状溝３の個数を多くする、ことが好ましい。種々の試験結果、前記凹状溝３の個数は６個以上が好ましいものであった。
【００２０】
図４に示したように、無芯シートロールＲの内周面側は主に巻取軸１の巻取り周面部４で支持され、該巻取軸１の前記各凹状溝３内に突出形成された無芯シートロールＲの内周側の凸条部Ｒａ（この凸条部Ｒａの凸条形態は前記各凹状溝３の溝幅Ｗに対応して一端側２ａから他端側２ｂへ行くに従い略テーパ状にその幅を徐々に広げた凸条形態に形成される。）に対しても、図４の（Ａ）に示した幅狭な凸条部Ｒａに対応した幅狭な凹状溝３側を先端側とし、図４の（Ｂ）に示した幅広な凸条部Ｒａに対応した幅広な凹状溝３側を後端側として巻取軸１を無理なく抜取ることができ、巻取軸１を抜き取った無芯シートロールＲの内周側形状を型崩れの無い比較的きれいな内周側形状の無芯シートロールに成形できる。
【００２１】
図５は本発明の巻取軸１を用いて無芯シートロールを製造する実施方法を概略的に示している。図５の実施方法及び装置において、前記巻取軸１を除いた他の実施方法及び装置は公知のものであり、本発明の巻取軸１は、公知の無芯シートロール製造方法及び装置における巻取軸として適用できる。
【００２２】
図５において、１は前記した本発明の巻取軸、１０，１０は、僅かな隙間を設けて水平配置された同方向に回転する左右一対の巻取駆動ロールで、左右一対の巻取駆動ロール１０，１０の上面に前記巻取軸１を跨ぐように位置させ、該巻取軸１に回転力を与えるものである。同図の１１は前記巻取軸１に巻取られる無芯シートロールＲの上部を弾性的に押圧する巻押えロール、Ｐはシートロールとして巻取られるキッチンペーパー等の巻取りシートを示している。
【００２３】
本発明の無芯シートロールの製造方法によれば、ロール円周面２に軸方向に延びる複数の凹状溝３を円周方向に均等な間隔をおいて凹陥形成し、各凹状溝３の周方向の溝幅Ｗを画成する軸方向に延びる直線状の対向縁辺３ａ，３ａを、軸中心線Ｘと平行に延ばされる対向縁辺間の平行仮想線Ｘａを基線として左右対称な傾斜線としたテーパ状に形成して、各凹状溝３の溝幅Ｗを軸方向の一端側２ａから他端側２ｂへ行くに従いテーパ状に徐々に広げて形成し、よって、巻取軸の軸方向の一端側２ａから他端側２ｂへ行くに従い各凹状溝３の形成範囲を除くロール円周面２で形成された巻取り周面部４の形成面積を徐々に減少させた構造の巻取軸１を、図５の（Ａ）に示すように、無芯シートロールＲとして巻取られる巻取りシートＰを介して左右一対の巻取駆動ロール１０，１０上に跨ぐように位置させ、同じく図５の（Ａ）に示すように、前記巻取りシートＰの巻取り始端側Ｐａを前記巻取軸１の巻取り周面部４に接触した状態で該巻取軸１を前記巻取駆動ロール１０，１０によって回転させ、図５の（Ｂ）に示すように、回転される巻取軸１に巻取られる無芯シートロールＲの上部を巻押えロール１１（この巻押えロール１１は予め図５（Ａ）の実線で示す待機位置から図５（Ａ）の一線鎖線で示す押さえ位置へ進出移動している。）で弾性的に押圧しながら巻取り、前記巻取軸１に巻取り完了された無芯シートロールＲから、前記巻取軸１を、前記凹状溝３の溝幅Ｗを相対的に狭く形成した該巻取軸１の一端側２ａを前端側にして軸方向に抜き取ることにより、無芯シートロールＲを製造することができる。なお、図示してないが、従来の製造方法と同様に、巻取りシートＰの巻取り始端側Ｐａを前記巻取軸１に初期巻き付けする図５（Ａ）の工程で、巻取り始端側に水や糊液を適宜噴射しても良い。
【図面の簡単な説明】
【００２４】
【図１】中間部を省略して示す本発明の巻取軸の正面図である。
【図２】本発明の巻取軸の巻取り周面を部分展開した展開図である。
【図３】本発明の巻取軸の両端部をそれぞれ示す側面図で、（Ａ）は巻取軸の一端側を示す側面図、（Ｂ）は巻取軸の他端側を示す側面図である
【図４】シートロールを巻取り完了した本発明の巻取軸の両端部をそれぞれ示す側面図で、（Ａ）は巻取軸の一端側を示す側面図、（Ｂ）は巻取軸の他端側を示す側面図である。
【図５】本発明の巻取軸を用いたシートロール製造方法及び装置の概略側面図である。
【符号の説明】
【００２５】
１  巻取軸
２  ロール円周面
３  凹状溝
Ｗ  凹状溝の溝幅
３ａ，３ａ  凹状溝の対向縁辺
Ｘ  巻取軸の軸中心線
Ｘａ  平行仮想線
２ａ  巻取軸の一端側（巻取軸の抜取り方向における前端側）
２ｂ  巻取軸の他端側（巻取軸の抜取り方向における後端側）
４  巻取り周面部
１０，１０  巻取駆動ロール
１１  巻押えロール
Ｒ  無芯シートロール
Ｒａ  凸条部（無芯シートロールの内周側に突出形成された凸条部）
Ｐ  巻取りシート
【図１】
2007223751.tif 000003
【図２】
2007223751.tif 000004
【図３】
2007223751.tif 000005
【図４】
2007223751.tif 000006
【図５】
2007223751.tif 000007